(57)【要約】【課題】  ユーザがジョブを実行する画像形成装置の位置を音により把握するのが困難である。【解決手段】  端末装置が生成した実行命令であるジョブを実行する画像形成装置であって、報知音を出力するスピーカを有し、前記端末装置によって前記ジョブに付与された前記報知音に関する情報である報知情報に基づき前記報知音を出力し、前記ジョブを実行する画像形成装置である。また、実行命令であるジョブを生成する端末装置と、前記ジョブを実行するジョブ実行装置を有するジョブ実行システムであって、前記ジョブ実行装置は報知音を出力するスピーカを有し、前記端末装置は、前記ジョブに前記報知音に関する情報である報知情報を付与し、前記ジョブ実行装置は、前記報知情報に基づき前記報知音を出力し、前記ジョブを実行するジョブ実行システムである。【選択図】図１０
2020010116.tif 000002
【特許請求の範囲】
【請求項１】
端末装置が生成した実行命令であるジョブを実行する画像形成装置であって、
報知音を出力するスピーカを有し、
前記端末装置によって前記ジョブに付与された前記報知音に関する情報である報知情報に基づき前記報知音を出力し、
前記ジョブを実行する画像形成装置。
【請求項２】
前記報知情報は、前記画像形成装置が前記報知音の出力の要否を判断する報知要否情報を含み、前記報知要否情報が要の場合、前記スピーカは前記報知音を出力する請求項１の画像形成装置。
【請求項３】
前記報知情報の出力を開始し、
その後、前記ジョブの実行を開始する請求項１または２の画像形成装置。
【請求項４】
前記報知情報は、前記報知音の種別を含み、前記スピーカは前記種別に応じた前記報知音を出力する請求項１ないし３いずれかの画像形成装置。
【請求項５】
前記報知情報は、前記報知音の出力継続時間を含み、前記スピーカは、前記報知音を前記出力継続時間が経過するまで出力する請求項１ないし４いずれかの画像形成装置。
【請求項６】
ユーザによる入力を受け付ける入力受付部を有する請求項１ないし５いずれかの画像形成装置。
【請求項７】
前記報知音の出力を開始した後、前記入力受付部が入力を受け付けると、前記報知音の出力を停止する請求項６の画像形成装置。
【請求項８】
前記報知情報は、前記端末装置のユーザに関する情報であるユーザ情報を含み、
前記ユーザ情報と、前記ユーザ情報以外の前記報知情報とを対応付けたテーブルを記憶するユーザ情報記憶部を有し、
前記スピーカは、前記ユーザ情報に対応付けられた前記報知情報に基づき前記報知音を出力する請求項１ないし７いずれかの画像形成装置。
【請求項９】
前記テーブルは前記入力受付部から入力可能である請求項６の画像形成装置。
【請求項１０】
前記端末装置はユーザによる入力を受け付ける端末入力受付部を有し、前記報知情報は前記端末入力受付部から入力される請求項１ないし９いずれかの画像形成装置。
【請求項１１】
プリンタ機能を実行するプリンタ部を有し、
前記ジョブは前記プリンタ部による前記プリンタ機能に対する実行命令であるプリントジョブであり、
前記プリントジョブは前記端末装置にインストールされたプリンタドライバによって生成される請求項１ないし１０いずれかの画像形成装置。
【請求項１２】
前記端末装置からの位置情報の要求に対し、自身の位置情報を出力し、
前記端末装置からジョブ実行要求を受け付けた後に前記報知音を出力し、前記ジョブを実行する請求項１ないし１１いずれの画像形成装置。
【請求項１３】
前記端末装置から受け付けた前記ジョブを記憶するサーバ装置から、記憶された前記ジョブを受け付け、受け付けた前記ジョブを実行する請求項１２の画像形成装置。
【請求項１４】
実行命令であるジョブを生成する端末装置と、
前記ジョブを実行するジョブ実行装置を有するジョブ実行システムであって、
前記ジョブ実行装置は報知音を出力するスピーカを有し、
前記端末装置は、前記ジョブに前記報知音に関する情報である報知情報を付与し、
前記ジョブ実行装置は、
前記報知情報に基づき前記報知音を出力し、
前記ジョブを実行するジョブ実行システム。
【請求項１５】
前記画像形成装置を複数有し、
前記端末装置は、
前記複数の画像形成装置からそれぞれの位置情報を取得し、
前記位置情報に基づき前記端末装置に最も近い前記画像形成装置を判断し、
前記最も近い画像形成装置が前記ジョブを実行する請求項１４のジョブ実行システム。
【請求項１６】
サーバ装置を有し、
前記端末装置は前記ジョブを前記サーバ装置に出力し、
前記サーバ装置は前記ジョブを記憶し、
前記端末装置は前記最も近い画像形成装置に前記ジョブを実行する要求であるジョブ実行要求を出力し、
前記最も近い画像形成装置は、前記サーバ装置から、記憶された前記ジョブを受け付け、前記ジョブを実行する請求項１５のジョブ実行システム。
【請求項１７】
報知音を出力するスピーカを有するジョブ実行装置に対する実行命令であるジョブを生成するジョブ生成ステップと、
前記ジョブに前記報知音に関する情報である報知情報を付与する報知情報付与ステップと、
前記報知情報に基づき前記報知音を出力する報知音出力ステップと、
前記ジョブを実行するジョブ実行ステップを含むジョブ実行方法。
【発明の詳細な説明】
【技術分野】
【０００１】
本発明は、画像形成装置、ジョブ実行システムおよびジョブ実行方法に関する。
【背景技術】
【０００２】
従来、ユニバーサルデザインに配慮した複合機が種々提案されている。
【０００３】
特許文献１には、視覚障害者専用端末から起動された複合機へのジョブの実行状態を取得し、実行状態に基づいた音声データを視覚障害者専用端末へと送信する複合機が記載されている。
【発明の概要】
【発明が解決しようとする課題】
【０００４】
本発明が解決しようとする課題は、ユーザがジョブを実行する画像形成装置の位置を音により把握するのが困難なことである。
【課題を解決するための手段】
【０００５】
上記課題を解決するために、請求項１にかかる発明は、端末装置が生成した実行命令であるジョブを実行する画像形成装置であって、報知音を出力するスピーカを有し、前記端末装置によって前記ジョブに付与された前記報知音に関する情報である報知情報に基づき前記報知音を出力し、前記ジョブを実行する画像形成装置である。
【発明の効果】
【０００６】
本発明によれば、ユーザがジョブを実行する画像形成装置の位置を音により把握できる。
【図面の簡単な説明】
【０００７】
【図１】第１の実施形態のシステム構成図である。
【図２】第１の実施形態の画像形成装置のハードウェア構成図である。
【図３】第１の実施形態の端末装置のハードウェア構成図である。
【図４】端末装置の使用形態の説明図である。
【図５】報知情報の入力画面例である。
【図６】第１の実施形態の画像形成装置の機能ブロック図である。
【図７】報知情報テーブルの例である。
【図８】第１の実施形態の端末装置の機能ブロック図である。
【図９】第１の実施形態の端末装置の処理フローを示すフローチャートである。
【図１０】第１の実施形態の画像形成装置の処理フローを示すフローチャートである。
【図１１】第１の実施形態のシステムの処理の一例を示すシーケンス図である。
【図１２】第２の実施形態のシステム構成図である。
【図１３】第２の実施形態の画像形成装置のハードウェア構成図である。
【図１４】第２の実施形態の画像形成装置の機能ブロック図である。
【図１５】第２の実施形態の端末装置の処理フローを示すフローチャートである。
【図１６】第２の実施形態の画像形成装置の処理フローを示すフローチャートである。
【図１７】第２の実施形態のシステムの処理の一例を示すシーケンス図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
まず、本発明の第１の実施形態のシステム構成について説明する。図１は、第１の実施形態のシステム図である。
【００１０】
図１に示すように画像形成装置１００と、ＰＣ（Ｐｅｒｓｏｎａｌ  Ｃｏｍｐｕｔｅｒ）などの端末装置２００とが、ネットワーク１０００によって接続されている。ここで、ネットワーク１０００はＬＡＮ（Ｌｏｃａｌ  Ａｒｅａ  Ｎｅｔｗｏｒｋ）、インターネット、ＬＡＮ経由のインターネット等を含む概念である。端末装置２００はネットワーク１０００に有線で接続されていてもよいし、無線接続のいわゆるモバイル端末などでもよい。一つの画像形成装置１００に対し、複数の端末装置２００が接続されていてもよい。
【００１１】
画像形成装置１００は、コピー機能、ＦＡＸ機能、プリント機能、スキャナ機能、また、入力画像（スキャナ機能による読み取り原稿や、プリンタ機能あるいはＦＡＸ機能により入力された画像）を保存や配信する機能等を複合して有するいわゆるＭＦＰ（Ｍｕｌｔｉ  Ｆｕｎｃｔｉｏｎ  Ｐｅｒｉｐｈｅｒａｌ）と称される複合機である。なお、本実施形態において、画像形成装置１００で処理される「画像」には画像データだけでなく、画像データが含まれていないデータ、つまりテキスト情報のみのデータも含むものとする。
【００１２】
端末装置２００は、画像形成装置１００の各種機能が実行する処理内容であるジョブを生成して出力する。端末装置２００から出力されたジョブはネットワーク１０００を介し、画像形成装置１００に入力され、画像形成装置１００によって実行される。以上説明したように、画像形成装置１００はジョブを実行するためジョブ実行装置、端末装置２００はジョブを生成するためジョブ生成装置、システムＳ１はジョブ実行システムということも可能である。
【００１３】
次に、画像形成装置１００のハードウェア構成について説明する。図２は、第１の実施形態の画像形成装置のハードウェア構成図である。
【００１４】
図２に示すように、画像形成装置１００は、画像形成装置１００への操作入力を受け付ける操作パネル１１と、操作パネル１１等からの入力に基づき画像形成装置１００の動作を制御するＣＰＵ（Ｃｅｎｔｒａｌ  Ｐｒｏｃｅｓｓｉｎｇ  Ｕｎｉｔ）１２と、ＣＰＵ１２の動作に必要なプログラムやデータを記憶する記憶媒体であるＲＯＭ（Ｒｅａｄ  Ｏｎｌｙ  Ｍｅｍｏｒｙ）１３およびＨＤＤ（Ｈａｒｄ  Ｄｉｓｋ  Ｄｒｉｖｅ）１５と、ＣＰＵ１２がプログラムを実行する際のワークエリア（作業領域）であるＲＡＭ（Ｒａｎｄｏｍ  Ａｃｃｅｓｓ  Ｍｅｍｏｒｙ）１４と、画像形成装置１００の外部装置との通信インタフェースである通信Ｉ／Ｆ（ｉｎｔｅｒｆａｃｅ）１６と、画像形成装置１００の外部装置との無線による通信インタフェースである無線通信Ｉ／Ｆ１７と、ＣＰＵ１２の制御に基づきコピー機能等の各種機能を実現するためのハードウェア構成であるエンジン部１８と、ＣＰＵ１２の制御に基づき音を出力するスピーカ１９とを有し、これらがシステムバスＢ１を介して相互に接続されている。
【００１５】
操作パネル１１は、操作者の操作に応じた各種の入力を受け付けるとともに、各種の情報（例えば受け付けた操作を示す情報、画像形成装置１００の動作状況を示す情報、画像形成装置１００の設定状態を示す情報など）を表示する。操作パネル１１は、一例としてタッチパネル機能を搭載した液晶表示装置（ＬＣＤ：Ｌｉｑｕｉｄ  Ｃｒｉｓｔａｌ  Ｄｉｓｐｌａｙ）で構成されるが、これに限られるものではない。例えばタッチパネル機能が搭載された有機ＥＬ（Ｅｌｅｃｔｏｒｏ−Ｌｕｍｉｎｅｓｃｅｎｃｅ）表示装置で構成されてもよい。さらに、これに加えて又はこれに代えて、ハードウェアキー等の操作部やランプ等の表示部を設けることもできる。
【００１６】
ＣＰＵ１２は、操作パネル１１からの入力、または外部装置からの通信による入力による動作指示に基づき、画像形成装置１００の動作を制御する。ＣＰＵ１２は、ＲＡＭ１４をワークエリア（作業領域）としてＲＯＭ１３又はＨＤＤ１５に格納されたプログラムを実行することで、画像形成装置１００全体の動作を制御し、上述したコピー機能、スキャナ機能、ファクス機能、プリンタ機能などの各種機能を実現する。これらの各種機能の実行する動作（以降ジョブと呼ぶことがある）は、その都度、画像形成装置１００の動作ログとしてＨＤＤ１５に保存することも可能である。
【００１７】
通信Ｉ／Ｆ１６は、外部装置との通信インタフェースであり、インターネット、ＬＡＮ、ＬＡＮ経由のインターネット等と接続可能である。画像形成装置１００は、通信Ｉ／Ｆ１６によって、一例として端末装置２００や、汎用の携帯通信端末やサーバ装置等ともネットワーク１０００を介して通信可能である。
【００１８】
無線通信Ｉ／Ｆ１７は、外部装置との無線による通信の通信インタフェースであり、同様に無線Ｉ／Ｆを有する装置との間で無線通信可能である。さらに社内ＬＡＮなどのネットワーク接続にはアクセスポイントＰを介して接続可能である。画像形成装置１００は、無線通信Ｉ／Ｆ１７によって、一例として端末装置２００や、その他汎用の携帯通信端末やサーバ装置等とも通信可能である。
【００１９】
エンジン部１８は、コピー機能、ＦＡＸ機能、プリンタ機能、スキャナ機能などを実現させるための、汎用的な情報処理及び通信以外の処理を行うハードウェアである。コピー機能を行うコピー部１８１、ＦＡＸ機能を行うＦＡＸ部１８２、プリンタ機能を行うプリンタ部１８３、スキャナ機能を行うスキャナ部１８４を有する。なお、プリンタ機能は、用紙等の記録媒体へ印刷可能な方式として電子写真方式やインクジェット方式などを採用することができるが、これに限られない。またエンジン部１８は、その他に印刷済み記録媒体を仕分けるフィニッシャや、原稿を自動給送するＡＤＦ（Ａｕｔｏ  Ｄｏｃｕｍｅｎｔ  Ｆｅｅｄｅｒ）のような特定のオプションを備えることもできる。
【００２０】
スピーカ１９は、ＣＰＵ１２の制御に基づき、画像形成装置１００外部に聞こえるように音を出力するハードウェアである。スピーカ１９は、ユーザに対し情報を報知する音である報知音を出力する。報知音は、情報の内容を示す言語を出力した音でもよいし、あらかじめ情報と対応付けがされた音でもよい。
【００２１】
次に、端末装置２００のハードウェア構成について説明する。図３は、第１の実施形態の端末装置のハードウェア構成図である。
【００２２】
図３に示すように、端末装置２００は、入力を受け付ける入力手段２１と、入力手段２１等からの入力に基づき端末装置２００の動作を制御するＣＰＵ２２と、ＣＰＵ２２の動作に必要なプログラムやデータを記憶する記憶媒体であるＲＯＭ２３およびＨＤＤ２５と、ＣＰＵ２２がプログラムを実行する際のワークエリア（作業領域）であるＲＡＭ２４と、端末装置２００の外部装置との通信インタフェースである通信Ｉ／Ｆ（ｉｎｔｅｒｆａｃｅ）２６と、画像形成装置１００の外部装置との無線による通信インタフェースである無線通信Ｉ／Ｆ２７と、端末装置２００の操作者に対し必要なデータを表示するディスプレイ２８を有し、これらがシステムバスＢ２を介して相互に接続されている。
【００２３】
入力手段２１は、ユーザの操作に応じた各種の入力を受け付ける。例えば、キーボード、マウス、タッチパネル機能を搭載したタブレット、音声入力のためのマイクなどで構成されるがこれらに限られるものではない。例えば端末装置２００を操作するためにログインする時に用いるＩＣカードを読み込ませるＩＣカードリーダ等であってもよい。
【００２４】
ＣＰＵ２２は、ＲＡＭ２４をワークエリア（作業領域）としてＲＯＭ２３又はＨＤＤ２５に格納されたプログラムを実行することで、端末装置２００全体の動作を制御し、端末装置２００の各種機能を実現する。
【００２５】
通信Ｉ／Ｆ２６は、外部装置との通信インタフェースであり、インターネット、ＬＡＮ、ＬＡＮ経由のインターネット等と接続可能である。端末装置２００は、通信Ｉ／Ｆ２６によって、一例として画像形成装置１００や、汎用の携帯通信端末やサーバ装置等ともネットワーク１０００を介して通信可能である。
【００２６】
無線通信Ｉ／Ｆ２７は、外部装置との無線による通信の通信インタフェースである。同様に無線ＬＡＮ  Ｉ／Ｆを有する装置との間で通信可能である。さらに社内ＬＡＮなどのネットワーク接続にはアクセスポイントＰを介して接続可能である。端末装置２００は、無線通信Ｉ／Ｆ２７によって、一例として画像形成装置１００や、その他汎用の携帯通信端末やサーバ装置等とも通信可能である。
【００２７】
ディスプレイ２８は、各種の情報、例えば端末装置２００が受け付けた操作を示す情報、端末装置２００で操作者が作成しているデータ、端末装置２００や画像形成装置１００の動作状況を示す情報、端末装置２００や画像形成装置１００の設定状態を示す情報などを表示する。ディスプレイ２８は、一例として液晶表示装置（ＬＣＤ：Ｌｉｑｕｉｄ  Ｃｒｉｓｔａｌ  Ｄｉｓｐｌａｙ）や有機ＥＬ（Ｅｌｅｃｔｒｏ  Ｌｕｍｉｎｅｓｃｅｎｃｅ）表示装置で構成されるが、これに限られるものではない。またタッチパネル機能を搭載し、入力手段２１として機能してもよい。
【００２８】
端末装置２００は上述以外にも、外部接続Ｉ／Ｆとして、ＩＣ（Ｉｎｔｅｇｒａｔｅｄ  Ｃｉｒｃｕｉｔ）カードを読み込ませるＩＣカードリーダと接続するためのインタフェースや、ＵＳＢ（Ｕｎｉｖｅｒｓａｌ  ｓｅｒｉａｌ  Ｂｕｓ）やＳＤカード等の外部記憶媒体と接続するためのインタフェース等を有していてもよい。
【００２９】
図４は、本実施形態に係る端末装置の使用形態の説明図である。図４を用いて、操作者による端末装置２００の使用形態を説明する。
【００３０】
端末装置２００のＨＤＤ２５にはＣＰＵ２２が実行可能なプログラムである印刷画像作成アプリケーション（以下印刷アプリと呼ぶことがある）２００１およびプリンタドライバ２００２が記憶されている。
【００３１】
印刷アプリ２００１は、入力手段２１による入力に従って、印刷画像を作成するアプリケーションである。ここで印刷画像とは、用紙などの記憶媒体へ印刷する画像である。プリンタドライバ２００２は、入力手段２１を用いて端末装置２００の操作者が入力する印刷に関する各種設定（以下印刷設定と呼ぶことがある）、例えば画質、印刷部数、ページ割付、トレイ等に基づき、印刷画像を印刷データに変換するアプリケーションである。ここで印刷データとは、画像形成装置１００が解釈してエンジン部１８で記憶媒体への画像形成を実行可能なデータである。
【００３２】
端末装置２００の動作としては、端末装置２００の操作者が印刷アプリ２００１を立ち上げ印刷画像を作成する。作成した印刷画像について操作者が印刷指示を入力すると、プリンタドライバ２００２が立ち上がり、操作者はプリンタドライバ２００２に対し印刷設定を入力する。このときプリンタドライバ２００２はディスプレイ２８に操作者による印刷設定、例えば画質、印刷部数、ページ割付、トレイ等、の入力を補助するための画面を出力してもよい。この場合操作者は、出力された画面を見ながらプリンタドライバ２００２に印刷設定を入力できる。
【００３３】
するとプリンタドライバ２００２は、印刷アプリ２００１を使って作成された印刷画像および入力された各種印刷設定に基づき、印刷画像を印刷データに変換する。プリンタドライバ２００２は、画像形成装置１００のプリント機能の実行命令を含むジョブ（以降プリントジョブと呼ぶ）として、少なくとも印刷データおよび印刷設定を、通信Ｉ／Ｆ２６から出力する。ネットワーク１０００を通じて出力されたジョブを受け付けた画像形成装置１００は、プリンタ部１８３によって印刷を実行する。
【００３４】
以上ジョブとして、プリンタドライバ２００２によって生成されたプリントジョブをプリンタ部１８３が実行する場合を説明したが、画像形成装置１００が実行する各種機能に対する実行の指示であればジョブはこれに限られない。また、ジョブを受け付けた後にユーザが画像形成装置に設けられた認証装置によって認証してジョブ実行を指示する画像形成装置が知られているが、本実施形態の画像形成装置１００は一例として、端末装置２００にＩＰアドレスなどで指定されてジョブを受け付け、ＩＣカードなどの認証を行うことなく実行する画像形成装置として説明する。
【００３５】
図５は、端末装置２００に表示される報知情報の入力画面例である。ユーザによる印刷設定の入力を補助するために、ディスプレイ２８に表示される。図５に示される画面例は、プリンタドライバ２００２が立ち上がると、またはプリンタドライバ２００２が立ち上がった後、さらにユーザがジョブを実行したい画像形成装置を選択する等すると、表示される。ユーザは図５に示される画面を見ながら入力手段２１を用いて、印刷設定や報知情報の各項目を入力することができる。
【００３６】
図５に示される画面例において、「印刷方法」「原稿サイズ」「印刷用紙サイズ」「用紙種類」「給紙トレイ」「排紙先」「カラー／白黒」「集約」「ページ配列」「両面／製本」「ステープル」「パンチ」「ソート」と示される項目についてはプルダウンメニューから選択することで入力可能である。また「原稿方向」についてはラジオボタンで選択することで入力可能である。「部数」については数値を入力可能である。「仕切り線」についてはチェックボックスにチェックを入れることで入力可能である。このように図５に示される画面例ではこれらの印刷設定の各項目を入力可能である。
【００３７】
そして図５に示される画面例においてＲと示される領域は、ユーザに対し情報を報知する音である報知音に関する情報である報知情報、例としては報知要否情報、音種別情報、出力継続時間情報について入力可能な領域である。
【００３８】
ここで領域Ｒ内の各項目についてさらに述べる。「要否」と示された項目によりユーザは報知要否情報を入力可能である。具体的には、報知音を出力する、すなわちスピーカにより音を鳴らすことの要不要を、ボタンを選択することで入力可能である。項目「報知音」によりユーザは音種別情報を入力可能である。具体的には、報知音の音の種別情報であり、一例として「メロディー１」、「メロディー２」等をプルダウンで選択することで入力可能である。また項目「継続時間」によりユーザは出力継続時間情報を入力可能である。具体的には、報知音が出力される出力を継続する時間情報、一例として「３０秒」、「１分」等をプルダウンで選択することで入力可能である。
【００３９】
このように、ユーザは「音声誘導」と示される領域Ｒに示される各項目に入力して印刷指示を行なうことで、画像形成装置１００が出力した報知音が聞こえる方向に、ジョブを実行する画像形成装置１００が位置することがわかり、その位置に向かうことでジョブを実行する画像形成装置１００に到達することができる。つまり、いわゆる音声誘導を受けることができる。
【００４０】
なお図５で示される画面例への入力の際、端末装置２００が有するスピーカで画面の入力内容をユーザに対し音声で知らせてもよい。また端末装置２００が有するマイクにユーザが音声を入力することにより、図５で示される画面への入力を受け付けてもよい。
【００４１】
図６は、第１の実施形態の画像形成装置１００の機能ブロック図である。
【００４２】
画像形成装置１００は、入力を受け付ける入力受付部１１０と、操作パネル１１への表示を制御する表示制御部１２０と、画像形成装置１００の外部との通信を制御する通信制御部１３０と、受け付けたジョブを処理するジョブ処理部１４０と、画像形成装置１００に関する各種データやプログラムを記憶する記憶部１５０と、記憶部１５０に対する各種データやプログラムの読出・書込を行う読出・書込処理部１６０とを有する。
【００４３】
入力受付部１１０は、操作パネル１１の処理によって実現され、ユーザの操作に応じた入力を受け付ける機能を実行する。ユーザに対し操作に必要な情報を表示してもよい。
【００４４】
表示制御部１２０は、ＣＰＵ１２がＨＤＤ１５に記憶されたプログラムを実行することで実現され、入力受付部１１０に表示する表示画面を制御する機能を実行する。
【００４５】
通信制御部１３０は、通信Ｉ／Ｆ１６または無線通信Ｉ／Ｆ１７の処理によって実現され、画像情報など各種データをネットワークや外部装置に送信したり、各種データや各種設定情報を、ネットワークを介したり、外部装置から取得したりする機能を実行する。
【００４６】
ジョブ処理部１４０は、ＣＰＵ１２がＨＤＤ１５に記憶されたプリンタアプリケーション、コピーアプリケーション、ＦＡＸアプリケーション等を実行することによって実現され、受け付けたジョブを実行する。
【００４７】
記憶部１５０は、ＨＤＤ１５の処理によって実行され、プログラムや文書データ、画像形成装置１００の動作に必要な各種設定情報、画像形成装置１００の動作ログ等を格納する機能を実行する。
【００４８】
読出・書込処理部１６０は、ＨＤＤ１５の処理によって実行され、記憶部１５０に各種データを記憶したり、記憶部１５０に記憶された各種データを読み出したりする機能を実行する。
【００４９】
記憶部１５０は、あらかじめ音データが記憶された音種別記憶部１５１と、あらかじめユーザ情報が記憶されたユーザ情報記憶部１５２を有する。音データおよびユーザ情報は入力受付部１１０から登録可能であり、入力受付部１１０は音データ登録部、ユーザ情報登録部として機能する。
【００５０】
ここで図７を用いて、図６の音種別記憶部１５１、ユーザ情報記憶部１５２に記憶される報知情報テーブルについて説明する。
【００５１】
音種別記憶部１５１にはあらかじめ、システムの管理者等によって音種別と出力データが対応付けられたテーブルが記憶されている。すなわち、図５の表示画面の領域Ｒで端末装置２００からユーザによって入力された、報知情報の一例である音の種別名と、スピーカ１９で出力可能な音データの出力ファイル名が対応付けられたテーブルである。一例として図７（ａ）に示されるように、音データ名「メロディー１」と出力ファイル名「Melody1」とが対応付けられ記憶されている。
【００５２】
そしてユーザ情報記憶部１５２にはあらかじめ、システムの管理者等によって以下の報知情報が対応付けられたテーブルが記憶されている。すなわち、端末装置２００の入力手段２１から入力された、ユーザに関する情報であるユーザ情報、一例として端末装置２００を使用する際に入力されたログインＩＤ等と、ユーザ情報以外の報知情報が対応付けられたテーブルである。一例として図７（ｂ）に示されるように、ログインＩＤ「1234」と要否情報「要」と出力ファイル名「Melody1」と継続時間「1分」とが対応付けられている。また、ログインＩＤ「3456」については、要否情報「要」と出力ファイル名「bird2」とが対応付けられているが、継続時間は対応付けられていない。このようにログインＩＤと全ての報知情報が対応付けられている必要はない。またログインＩＤ「5678」には、要否情報「否」が対応付けられている。よってログインＩＤ「5678」については報知音の出力がされないため、出力ファイル名および継続時間は対応付けられていない。
【００５３】
図８は、第１の実施形態の端末装置の機能ブロック図である。
【００５４】
図８に示されるように端末装置２００は、端末装置２００へ入力を受け付ける端末入力受付部である入力受付部２１０と、ディスプレイ２８に表示する表示画面を制御する機能を実行する表示制御部２２０と、端末装置２００の外部との通信を制御する機能を実行する通信制御部２３０と、画像形成装置１００に指示するジョブを出力するジョブ出力部２４０を有する。
【００５５】
入力受付部２１０は、入力手段２１の処理によって実現され、ユーザによる各種入力を受け付ける機能を実行する。
【００５６】
表示制御部２２０は、ＣＰＵ２２がＨＤＤ２５に記憶されたプログラムを実行することで実現され、ディスプレイ２８に表示する表示画面を制御する機能を実行する。
【００５７】
通信制御部２３０は、通信Ｉ／Ｆ２６または無線通信Ｉ／Ｆ２７の処理によって実現され、画像情報など各種データをネットワークや外部装置に送信したり、各種データや各種設定情報を、ネットワークを介したり、外部装置から取得したりする機能を実行する。
【００５８】
ジョブ出力部２４０は、ＣＰＵ２２がＨＤＤ２５にインストールされたプログラム、一例として印刷アプリ２００１とプリンタドライバ２００２を実行することで実現され、画像形成装置１００への各種機能の実行の要求であるジョブを出力する機能を実行する。
【００５９】
ジョブ出力部２４０は、ユーザの操作に基づき各種データを生成するデータ生成部２４１と、データ生成部２４１により生成されたデータからジョブを生成するジョブ生成部２４２と、ジョブ生成部２４２により生成されたジョブに報知情報を付与する報知情報付与部２４３を有する。ジョブ出力部２４０は、データ生成部２４１、ジョブ生成部２４２、報知情報付与部２４３の各部を制御してジョブを出力する。
【００６０】
データ生成部２４１は、ＣＰＵ２２がＨＤＤ２５に保存されたプログラム、一例として印刷アプリ２００１を実行して実現され、端末装置２００に対するユーザの操作に基づく入力内容に従い画像形成装置１００で印刷する画像を作成する機能を実行する。
【００６１】
ジョブ生成部２４２は、ＣＰＵ２２がＨＤＤ２５に保存されたプログラム、一例として、プリンタドライバ２００２を実行して実現され、作成された印刷画像に基づきデータを画像形成装置１００で処理可能なデータに変換してジョブを生成する。
【００６２】
報知情報付与部２４３は、ＣＰＵ２２がＨＤＤ２５に保存されたプログラム、一例として、印刷アプリ２００１またはプリンタドライバ２００２を実行して実現され、ジョブ生成部２４２によって生成されたジョブに、入力受付部２１０から入力された報知情報を付与する。報知情報は、ユーザに対し情報を報知する音である報知音に関する情報、例えば、報知要否情報、音種別情報、出力継続時間、またはユーザ情報等である。ユーザ情報の例としては、ジョブを出力した端末装置２００へのユーザのログインＩＤ等である。
【００６３】
なお、ここでいう付与とは、出力されたジョブと報知情報が対応付けられていればよく、すなわち、あるジョブの一部として報知情報を含めることも含むし、あるジョブと、そのジョブとは別のデータとしての報知情報とを対応付けることも含む。
【００６４】
ジョブは画像形成装置１００が実行するプリンタ機能の実行指示であるがこれに限られず、コピー機能、ＦＡＸ機能、スキャナ機能、その他の各種機能の実行を指示するものであればよい。
【００６５】
また、ジョブ生成部２４２および報知情報付与部２４３は、プリンタドライバ２００２を実行することにより実現しているがこれに限られず、例えば報知情報付与部２４３として機能する別のドライバがインストールされていてもよい。なお、従来より画像形成装置にプリントジョブを出力する端末装置にはプリンタドライバがインストールされているため、プリンタドライバに報知情報を付与する機能をもたせれば、報知情報を付与するための別なドライバを新たに開発したり、プリンタドライバとは別のドライバを新たにユーザにインストールさせたりする煩雑さがない。
【００６６】
図９は、第１の実施形態の端末装置の処理フローを示すフローチャートである。本処理フローは、端末装置２００に対しユーザがジョブを生成するための入力をするとスタートするジョブ出力フローである。
【００６７】
まず入力受付部２１０は、入力受付ステップとして、端末装置２００への入力を受け付ける（Ｓ１）。ジョブ生成部２４２はジョブ生成ステップとして、受け付けた入力内容に基づき、ジョブを生成する（Ｓ２）。そして報知情報付与ステップとして、報知情報付与部２４３は、ジョブに対して、受け付けた入力内容に含まれる報知情報を付与する（Ｓ３）。そしてジョブ出力ステップとして、ジョブ出力部２４０は、報知情報が付与されたジョブを一例として通信制御部２３０に出力する（Ｓ４）。すると通信制御部２３０は、ネットワークを介して画像形成装置１００に対しジョブを出力する。なお、報知情報の入力が無い場合はステップＳ３の処理はスキップしてもよいし、入力内容に報知情報が含まれていないというフラグなどを付与してもよい。
【００６８】
図１０は、第１の実施形態の画像形成装置の処理フローを示すフローチャートである。本処理フローは、画像形成装置１００がネットワーク１０００を介する等してジョブを受け付けるとスタートするジョブ処理フローである。
【００６９】
まず、入力受付部１１０はジョブ受付ステップとして、ジョブを受け付ける（Ｓ５）。そして報知処理部１４１は、出力要否判断ステップとして、報知情報に基づき、報知音の出力要か否かを判断する（Ｓ６）。報知音の出力が要となる場合とは、一例として報知要否情報が「要」の場合である。報知音の出力が「要」となる他の例としては、報知情報であるユーザ情報をキーとして、図７（ｂ）のテーブルにおける「要否」列を参照した際に「要」が対応付けされていた場合である。
【００７０】
ステップＳ６において報知音の出力が「要」の場合、報知処理部１４１は、報知音出力ステップとして、スピーカ１９による報知音の出力を開始する（Ｓ７）。
【００７１】
このように、ジョブに付与された報知音を出力するため、端末装置のユーザは、報知音のする方向から画像形成装置１００の位置を把握して画像形成装置１００の方へ移動できる。つまりユーザを、ジョブを実行する画像形成装置１００の前まで誘導することができる。例えば従来技術として、視覚障害者専用端末から起動された複合機へのジョブの実行状態を取得し、実行状態に基づいた音声データを視覚障害者専用端末へと送信する複合機が知られている。この従来技術である複合機では、端末装置のユーザはジョブを実行している画像形成装置の位置を把握できないという課題があるが、この課題を解決できる。またこの従来技術の複合機では、視覚障害者用専用端末からのジョブについて音声データの出力を行っており、つまりあらかじめ決められた専用端末を用意しなければならないという課題があるが、本発明ではジョブに付与された報知情報に基づき報知音を出力するため、特別な端末を用意する必要が無い。
【００７２】
さらに、端末装置２００は入力を受け付ける端末入力受付部２１０を有し、報知情報は端末入力受付部２１０から入力されるため、ユーザは端末装置２００から報知音の要否を決定したり、所望の報知音を出力させたりすることができる。
【００７３】
さらに、報知情報としてユーザ情報を用いるため、端末装置２００にログインする際のログインＩＤ等に対応付けられた報知音を出力させることができる。
【００７４】
ステップＳ７についてより具体的には、報知情報として、報知要否情報が「要」以外に、音種別情報が含まれている場合には、さらに音種別情報をキーに図７（ａ）に示されるテーブルを参照し、対応付けられた出力ファイル名の音データを再生することにより報知音を出力する。また報知情報としてユーザ情報、一例として端末装置２００にログインするためのログインＩＤが含まれている場合には、ログインＩＤをキーに図７（ｂ）に示されるテーブルを参照し、報知要否情報が「要」であれば報知音を出力する。このとき、さらに対応付けられた出力ファイル名がある場合には、その出力ファイル名の音データを再生することにより報知音を出力する。このように報知情報は、報知音の種別を含み、スピーカは種別に応じた前記報知音を出力するため、例えば画像形成装置１００が並んでいるオフィスで複数人がジョブを実行する場合に、互いに異なる報知音を出力して区別できる。
【００７５】
次に、ジョブ実行処理部１４２はジョブ実行ステップとして、ジョブの実行を開始する（Ｓ８）。ジョブの実行を開始してから報知音を出力してもよいが、報知音の出力を開始してからジョブの実行を開始することで、ユーザがより早く画像形成装置の位置を把握できる。
【００７６】
そしてジョブ実行処理部１４２は、停止条件判断ステップとして、停止条件を満たすかを判断する（Ｓ９）。停止条件を満たす場合は、報知音の出力を停止し（Ｓ１０）、本フローを終了する。このように停止条件を満たした場合に停止することで、報知音が鳴ったままになるのを防止できる。
【００７７】
ステップＳ９についてより具体的には、停止条件の一例として、報知情報の一例である出力継続時間が経過したか否かである。この場合、ユーザは所望の時間、報知音を鳴らした後に停止することができる。また停止条件の他の例としては、画像形成装置１００に対するユーザによる操作入力が入力受付部１１０に受け付けられたかでもよい。この場合、ユーザは画像形成装置１００に入力を行うことにより、報知音を停止することができる。
【００７８】
ステップＳ６において報知音の出力が否、つまり報知情報の一例である報知要否情報が不要つまり端末装置２００から「否」が入力された場合や、図７（ｂ）で示したテーブルを参照した結果ユーザ情報の一例である端末装置２００のログインＩＤに「否」が対応付けられていた場合は、報知音を出力せずにジョブを実行し（Ｓ１１）、本フローを終了する。
【００７９】
図１１は、第１の実施形態のシステムの処理の一例を示すシーケンス図である。本処理は、端末装置２００が、報知音出力要を示す報知情報が付与されたジョブを出力し、画像形成装置１００がそのジョブを実行するまでのシーケンスである。
【００８０】
まず、端末装置２００のジョブ出力部２４０はジョブを出力する（Ｓ１０１）。通信制御部２３０は、ジョブを画像形成装置１００に対し出力する（Ｓ１０２）。画像形成装置１００の入力受付部１１０はジョブを受け付ける（Ｓ１０３）。
【００８１】
そして報知処理部１４１は、受け付けたジョブは報知音出力要と判断される為、付与された報知情報に基づき、スピーカ１９による報知音の出力を開始する（Ｓ１０４）。次に、ジョブ実行処理部１４２はジョブの実行を開始する（Ｓ１０５）。ステップＳ１０５以降は、画像形成装置１００において図１０で示されるステップＳ９とステップＳ１０が実行される。
【００８２】
図１２は、本発明の第２の実施形態に係るシステム構成について説明する。図１２に示すようにシステムＳ２は、画像形成装置１００−１、画像形成装置１００−２…と、ＰＣなどの端末装置２００と、サーバ装置３００が、ネットワーク１０００によって接続されている。ここで、ネットワーク１０００はＬＡＮ、インターネット、ＬＡＮ経由のインターネット等を含む概念である。端末装置２００はネットワーク１０００に有線で接続されていてもよいし、無線接続のいわゆるモバイル端末などでもよい。
【００８３】
なお、図１２において画像形成装置は画像形成装置１００−１と１００−２の２台のみ示しているが、２台に限られず、複数の画像形成装置を有することが可能である。実施形態２の説明においては、複数の画像形成装置に共通の構成については１００−ｎの構成として説明する。
【００８４】
画像形成装置１００−ｎそれぞれ、コピー機能、ＦＡＸ機能、プリント機能、スキャナ機能、また、入力画像（スキャナ機能による読み取り原稿や、プリンタ機能あるいはＦＡＸ機能により入力された画像）を保存や配信する機能等を複合して有するいわゆるＭＦＰ（Ｍｕｌｔｉ  Ｆｕｎｃｔｉｏｎ  Ｐｅｒｉｐｈｅｒａｌ）と称される複合機である。なお、本実施形態において、画像形成装置１００で処理される「画像」には画像データだけでなく、画像データが含まれていないデータ、つまりテキスト情報のみのデータも含むものとする。
【００８５】
端末装置２００は、画像形成装置１００の各種機能が実行する処理内容であるジョブを生成して出力する。出力されたジョブはネットワーク１０００を介し、画像形成装置１００−ｎいずれかに入力され、入力を受け付けた画像形成装置１００−ｎによって実行される。
【００８６】
サーバ装置３００は、端末装置２００から出力されたジョブを記憶する。またサーバ装置３００は記憶したジョブを画像形成装置１００−ｎに対し出力可能である。
【００８７】
第２の実施形態の画像形成装置１００−ｎのハードウェア構成は、第１の実施形態の画像形成装置１００と同様であるため説明を省略する。また第２の実施形態の端末装置２００、サーバ装置３００は、第１の実施形態の端末装置２００と同様であるため説明を省略する。
【００８８】
図１３は、本発明の第２の実施形態に係る画像形成装置１００−ｎの機能ブロック図である。第１の実施形態の画像形成装置１００の構成に加え、外部に画像形成装置の位置情報を出力する位置情報出力部１４３と、端末装置２００が出力したジョブを取得するジョブ取得部１４４とを有する。
【００８９】
図１４は、本発明の第２の実施形態に係る端末装置２００の機能ブロック図である。第１の実施形態の端末装置２００の構成に加え、端末装置２００に最も近い画像形成装置を判断する画像形成装置判断部２４４と、画像形成装置１００−ｎと端末装置２００自身との位置情報を記憶する位置情報記憶部２５１を有する。
【００９０】
図１５を用いて第２の実施形態の端末装置の処理フローを説明する。図１５は、端末装置２００のジョブ生成処理フロー示すフローチャートである。本処理は、端末装置２００に対しユーザがジョブを生成するための入力をするとスタートするフローである。
【００９１】
まず入力受付部２１０は、入力受付ステップとして、端末装置２００への入力を受け付ける（Ｓ１２）。ジョブ生成部２４２はジョブ生成ステップとして、受け付けた入力内容に基づき、ジョブを生成する（Ｓ１３）。そして報知情報付与ステップとして、報知情報付与部２４３は、ジョブに対して、受け付けた入力内容に含まれる報知情報を付与する（Ｓ１４）。
【００９２】
次にジョブ出力部２４０は、サーバ装置への出力ステップとして、サーバ装置３００にジョブを送信することにより出力する（Ｓ１５）。そして画像形成装置判断部２４４は、位置情報要求ステップとして、システム内のｎ台の画像形成装置にそれぞれの位置情報を要求する（Ｓ１６）。画像形成装置判断部２４４は、位置情報取得ステップとして、各画像形成装置からｎ個の位置情報ｎを受け付けることにより取得する（Ｓ１７）。画像形成装置判断部２４４は、画像形成装置判断ステップとして、位置情報記憶部２５１を参照して、位置情報ｎに基づき端末装置２００に最も近い画像形成装置である画像形成装置１００Ｎを判断する（Ｓ１８）。そして画像形成装置判断部２４４は、ジョブ実行要求ステップとして、判断した最も近い画像形成装置１００ｎに対し、ジョブ実行要求を出力する（Ｓ１９）。
【００９３】
このように端末装置２００から最も近い画像形成装置にジョブの実行要求を行うことで、ユーザは報知音に基づき画像形成装置に向かいやすくなる。なお、ジョブ実行要求によって報知音出力が実行されるため、ジョブ実行要求は報知処理実行要求と呼ぶこともできる。
【００９４】
図１６は、第２の実施形態の画像形成装置のジョブ受付処理フローを示すフローチャートである。なお、本処理における画像形成装置は、端末装置２００に最も近い画像形成装置である画像形成装置１００Ｎであるものとして説明する。
【００９５】
まず位置情報出力部１４３は、位置情報要求受付ステップとして、端末装置２００から出力された位置情報要求を受け付ける（Ｓ２０）。すると位置情報出力部１４３は、位置情報出力ステップとして、自身の位置情報を端末装置２００に出力する（Ｓ２１）。すると、本処理における画像形成装置は端末装置２００に最も近い画像形成装置１００Ｎであるため、入力受付部１１０は、端末装置２００からジョブ実行要求を受け付ける（Ｓ２２）。するとジョブ取得部１４４は、ジョブ取得ステップとして、サーバ装置３００に対しジョブを要求する（Ｓ２３）。そして入力受付部１１０は、サーバ装置３００に記憶されていたジョブを受け付け（Ｓ２４）、ジョブ受付処理フローは終了する。ジョブを受け付けた以降、画像形成装置１００Ｎは、図１０で示したステップＳ５〜ステップＳ１１を実行する。
【００９６】
図１７は、第２の実施形態の画像形成装置１００と端末装置２００とサーバ装置３００の処理を示すシーケンス図である。本処理は、端末装置２００が、報知情報を付与したジョブを出力してから画像形成装置１００がジョブを実行するまでのシーケンスである。
【００９７】
まず、端末装置２００のジョブ出力部２４０はジョブを出力する（Ｓ２０１）。通信制御部２３０は、ジョブをサーバ装置３００に対し出力する（Ｓ２０２）。サーバ装置３００は、ジョブを記憶する（Ｓ２０３）。
【００９８】
端末装置２００は、画像形成装置１００−１に対して、位置情報を要求する（Ｓ２０４）。画像形成装置１００−１は、端末装置２００に対し、自身の位置情報である位置情報１を出力する（Ｓ２０５）。端末装置２００はさらに画像形成装置１００−２に対して、位置情報を要求する（Ｓ２０６）。画像形成装置１００−２は、端末装置２００に対し、自身の位置情報である位置情報２を出力する（Ｓ２０７）。図１７においては画像形成装置１００−１と１００−２のみ示したが、端末装置２００は画像システム内のｎ台の画像形成装置１００-ｎ全てに対し、位置情報を要求し、画像形成装置１００−nは、端末装置２００に対し、自身の位置情報ｎを出力する。
【００９９】
端末装置２００は位置情報ｎから、端末装置２００に最も近い画像形成装置１００Ｎを判断する（Ｓ２０８）。、本実施形態では以降、画像形成装置１００−２が最も近い画像形成装置１００Ｎであるとして説明する。端末装置２００は、最も近い画像形成装置１００−２にジョブ実行要求を送信することにより出力する（Ｓ２０９）。
【０１００】
画像形成装置１００−２は、サーバ装置３００に対しジョブを要求し（Ｓ２１０）、サーバ装置３００に記憶されたジョブを取得する（Ｓ２１１）。そいて画像形成装置１００の入力受付部１１０がジョブを受け付ける（Ｓ２１２）。
【０１０１】
そして報知処理部１４１は、付与された報知情報に基づき、スピーカ１９による報知音の出力を開始する（Ｓ２１３）。するとジョブ実行処理部１４２はジョブの実行を開始する（Ｓ２１４）。ステップＳ１０５以降は、画像形成装置１００−２において、図１０で示されるステップＳ９とステップＳ１０が実行される。
【０１０２】
本発明は上述した実施形態に限定されるものではなく、その技術的要旨を逸脱しない範囲で種々の変形が可能であり、特許請求の範囲に記載された技術思想に含まれる技術的事項の全てが本発明の対象となる。上記実施形態は、好適な例を示したものであるが、当業者であれば、開示した内容から様々な変形例を実現することが可能である。そのような変形例も、特許請求の範囲に記載された技術的範囲に含まれる。
【符号の説明】
【０１０３】
１００  画像形成装置
１１０  入力受付部
１４０  ジョブ処理部
１４１  報知処理部
１４２  ジョブ実行処理部
１４３  位置情報出力部
１４４  ジョブ取得部
１５０  記憶部
１５１  音種別記憶部
１５２  ユーザ情報記憶部
２００  端末装置
２１０  入力受付部
２４０  ジョブ出力部
２４１  データ生成部
２４２  ジョブ生成部
２４３  報知情報付与部
２４４  画像形成装置判断部
３００  サーバ装置
【先行技術文献】
【特許文献】
【０１０４】
【特許文献１】特開２００６−１５５２６７
【図１】
2020010116.tif 000003
【図２】
2020010116.tif 000004
【図３】
2020010116.tif 000005
【図４】
2020010116.tif 000006
【図５】
2020010116.tif 000007
【図６】
2020010116.tif 000008
【図７】
2020010116.tif 000009
【図８】
2020010116.tif 000010
【図９】
2020010116.tif 000011
【図１０】
2020010116.tif 000012
【図１１】
2020010116.tif 000013
【図１２】
2020010116.tif 000014
【図１３】
2020010116.tif 000015
【図１４】
2020010116.tif 000016
【図１５】
2020010116.tif 000017
【図１６】
2020010116.tif 000018
【図１７】
2020010116.tif 000019